(57)【要約】      （修正有）【課題】避難する人の乗ったボートが波に流されるのを防止するようにすると共に、ボート内の人の安全を確保し、又安心して避難し得るようにした、津波発生時に用いられる避難用ボートを提供する。【解決手段】避難用ボート１０をロープ２０を介して固定具３０に固定すると共に、ロープのボートと固定具との間にフロート４０を取りつけ、津波により沖に流されることなく、又フロートの浮力によりフロートと共に海面に浮き上がるようにした。【選択図】図１
2013107613.tif 000002
【特許請求の範囲】
【請求項１】
避難すべき人間が入るボート本体と、一端をボート本体に固定し、他端を床等に設置した固定部材に取り付けた一定の長さのロープと、前記ロープにそのボートと固定部材との間に保持されたフロートとよりなる避難用装置。
【請求項２】
前記ボートが下部部材と前記下部部材に気密に取り付けられた上部部材とよりなり、前記上部部材と避難すべき人間が出入りできる窓を有し、前記窓の少なくとも一部が透明である請求項１の避難用装置。
【請求項３】
前記ボートの上部部材の側面に水位確認窓を設けた請求項２の避難用装置。
【請求項４】
上記上部部材にフロートを有する通気孔を設けた請求項２又は請求項３の避難用装置。
【発明の詳細な説明】
【技術分野】
【０００１】  本発明は避難用装置で、津波の際に人命の安全を確保するための避難用装置に関するものである。
【背景技術】
【０００２】  従来、津波等の際に使用する避難用ボートは知られている。しかし従来の避難用ボートは、今回の東日本震災の際のような大津波が発生した場合、避難用ボートが飲み込まれ、水中をただようことになる。そのため、安全に救助されたとしても、救助されるまで長時間かかり、その間のボート内の人は不安にさらされる。
【発明の概要】
【発明が解決しようとする課題】
【０００３】  本発明は、避難用ボートが家屋等からはなれることなく、又ボート内の人がボート外を見得るようにして不安を解消し得る避難用装置を提供するものである。
【課題を解決するための手段】
【０００４】  本発明の避難用装置は、避難用ボートにロープをつなぎ、ロープの他端を家又は敷地に固定部材を用いて固定すると共に、ロープのボートと固定部材との間にフロートを設けたもので、津波が発生した際にボート内に避難することにより、ボートがロープにより一定距離はなれることなく、又ボートがフロートの浮力によりフロートと共に海面に浮き上がるようにした。
【図面の簡単な説明】
【０００５】
【図１】図１は、本発明の避難用装置の構成を示す図である。
【図２】図２は、本発明の避難用装置にて用いられる避難用ボートの側面図である。
【図３】図３は、前記避難用ボートの断面図である。
【図４】図４は、前記避難用ボートの分解図である。
【図５】図５は、前記避難用ボートの配置図である。
【発明を実施するための形態】
【０００６】  本発明の避難用装置の実施の形態を図示する実施例をもとに説明する。
【実施例】
【０００７】  本発明の避難用装置は、図に示す実施例の通りの構成である。
図１において、１０は避難用ボート、２０はボート１０に結ばれたロープで、その他端（ボート１０と反対側の端部）は、家屋又は敷地に設けられた固定具３０に固定されている。又、このロープ２０のボート１０と固定具３０の間にフロート４０が取り付けられている。【０００８】  この図に示す避難用装置は、避難しようとする人間がボート内に入る。この状態で大きな津波が押し寄せた場合、ボート１０は津波に飲み込まれ、流されようとするが、ロープ２０を介して固定具３０に固定されているため遠くに流されることを阻止される。又、津波に飲み込まれ海中（水中）にただようボートは、ロープ２０に設けられたフロート４０が浮力により海面に浮き上がると共に海面に上昇する。【０００９】  このように、図１に示す避難用装置は、津波に巻き込まれた場合も、ボート１０は固定具３０の近くにロープ２０の長さの範囲内に留まり、しかも装置が水中であってもフロート４０と共に水面に浮いた状態を保つことになる。【００１０】  ここで、ボート１０は、後に述べるような構造のもので、ボート内から外部を見得る構造である。しかも前記のようにボート１０は水面に位置することになり、ボート内から、海面上の外の様子を見ることが可能になる。これにより、ボート１０内の人は、自分の位置や状態を確認でき、不安なく安全に救出されることになる。特に、ボート側面に水位確認窓を設けることにより、ボート１０と海面との関係を確認し得る。【００１１】  次に本発明の避難用装置で用いるボートの構造について図２乃至図４をもとに説明する。【００１２】  図２は本発明にて用いられるボートの外観図（側面図）、図３はボートの断面図、図４はボートを構成する各部材を示す分解図である。【００１３】  本発明で用いられるボート１０は、図３に示すように、避難する人間が横たわるボート本体下部１１に図４に示すような構造の金属製補強枠１６をはさんで本体上部１２を気密に組み合わせたもので、本体上部１２は窓１３、水位確認窓１４、通気口１５を設けた構造である。【００１４】  この図３は断面図で人間が入った状態を示す。この図において１８はウレタン樹脂の弾力性のある材料よりなるマットで、図３のように避難時に人間がボート内にいる時に外部よりの衝撃をやわらげるためのものである。【００１５】  又、窓１３は開閉可能で少なくとも中央部１３Ａは透明材料よりなる。したがって、図３に示すように、人間が上向きに横たわった状態では、この透明部分１３Ａを透してボート外の様子を見ることができる。又水位確認窓１４を透して、ボート１０と水面との関係を確認できる。又、通気口１５はフロート１５Ａを配置した弁を有し、この通気口１５より水が侵入した時はフロート１５Ａにより閉じ、海水がボート内に入るのを防止する。【００１６】  このように、大きな津波の発生の際、窓１３をあけてボート内に入り窓を閉じ、図３のように上を向いて横になって安全ベルト１７により固定する。この状態にて津波が押し寄せボート１０が流されそうになっても、チェン２０にて固定され、更にフロート４０が海面上に浮き上がりボート１０も海面に引き上げられる。その際、ボート内の人間は窓１３の透明部分１３Ａより外部を見ることができ、又、水位確認用窓１４により、海面に対するボート１０の位置を確認できるため、海面に対し、ボートがどのような状況にあるかを知ることができる。したがって、避難する人間にとって極めて安全であり、又安心して対応できる。【００１７】  又、ボートは、図４に示すように、本体下部１１、本体上部１２が共に合成樹脂にて作られた２重構造で、十分な強度を有し、しかも軽量である。又、外部からの衝撃が内部に伝わりにくい。したがって、家の近くの床におくほか、図５に示すように家の２階部分に置くこともできる。このことにより、家が浸水した時も、２階よりボート内に入ることができる利点を有する。
【産業上の利用可能性】
【００１８】  本発明は、津波等の際に避難用に使用されるもので、避難する者の安全、安心を確保するために用いられる。
【符号の説明】
【００１９】  １０    避難用ボート
１１    ボート本体下部
１２    ボート本体上部
１３    窓
１４    水位確認窓
１５    通気口
２０    ロープ
３０    固定具
４０    フロート
【図１】
2013107613.tif 000003
【図２】
2013107613.tif 000004
【図３】
2013107613.tif 000005
【図４】
2013107613.tif 000006
【図５】
2013107613.tif 000007